Podtech/llm-jp-corpus-v4-ja_patent huggingface dataset:
(57)【要約】【課題】大切な極秘情報書類がコピー機により複写され、簡単に流出するのを防ぐために、コピー出来ない書類を作る。【解決手段】黒色に染色又は印刷した用紙（３）の上に、黒色の迷彩模様（２）を重ねて印刷し、その上からブラックライトで発色する蛍光インク（１）を印刷する。こうして図１の断面構造の本発明の用紙を作る。この用紙に、極秘情報をプリントアウトする。肉眼では黒い用紙の上に黒の迷彩模様が有り、黒い印字の判読は困難である。ブラックライトを照らすと、蛍光面全体が発色し、印字は蛍光を抑えて発色しないので判読できる。コピーは真っ黒にしか写らない。【選択図】図１
2004188950.tif 000002
【特許請求の範囲】
【請求項１】
黒色の上にブラックライトで発色する蛍光面を持つ構造の用紙
【請求項２】
黒色の上に黒色の迷彩模様が有り、さらにその上にブラックライトで発色する蛍光面を持つ構造の用紙
【請求項３】
黒色の上にブラックライトで発色する蛍光面を持つ構造の用紙を用いて、プリンター又はコピー機にて、コピー出来ない書類を製作する。
【請求項４】
黒色の上に黒色の迷彩模様が有り、さらにその上にブラックライトで発色する蛍光面を持つ構造の用紙を用いて、プリンター又はコピー機にて、コピー出来ない書類を製作する。
【発明の詳細な説明】
【０００１】
【発明の属する技術分野】
この発明は、用紙の構造及び書類の製作方法に関する物である。
【０００２】
【従来の技術】
大切な情報がコピー機により複写され、簡単に流出するのを防ぐために、コピーすれば複写物に警告文字が出てくる物がある。
【０００３】
また、表面を鏡のように加工して光の乱反射を応用しコピーが真っ黒に写るようにした物もある。
【発明が解決しようとする課題】
コピーすれば複写物に警告文字が出てくる物では、コピーは防げない。
【０００４】
表面を鏡のように加工して光の乱反射を応用しコピーが真っ黒に写るようにした物は、プリンターの熱によりカールするので取り扱い難い。
【０００５】
また、ギラギラして文字が判読し難い。
【０００６】
【課題を解決するための手段】
黒色に染色又は印刷した用紙（３）の上に、黒色の迷彩模様（２）を重ねて印刷し、その上からブラックライトで発色する蛍光面を持つ構造にする。
【０００７】
この用紙に、極秘情報等を黒色でプリントアウトする。
【０００８】
肉眼では黒い用紙の上に黒い迷彩模様が有り、黒い印字の判読は困難である。
【０００９】
ブラックライトを照らすと、蛍光面全体が発色するが、印字は蛍光を抑えて発色しないので鮮明に判読できる。
【００１０】
コピーは真っ黒にしか写らない。
【発明の実施の形態】
用紙を全面黒色に染色又は印刷する。
【００１１】
用紙の黒色と後の印字の黒色とでは、少し色に差が出来てしまうので、よりいっそう判読しづらくするために、その上から黒色で乱数や地紋等の迷彩を重ねて印刷する。
【００１２】
その上から、ブラックライトで発色する無色の蛍光インキで全面を印刷する。
【００１３】
こうして出来た本発明のコピー不可用紙にプリンターで極秘情報等を黒色でプリントアウトし、コピー不可書類を製作する。
【００１４】
または、通常の用紙の極秘情報等の書類を原稿にして、本発明のコピー不可用紙にコピーすれば、コピー不可書類が製作できる。
【００１５】
このコピー不可書類を原稿としたコピーは真っ黒にしか写らない。
【００１６】
このコピー不可書類は、ブラックライトを照らすと、用紙全体に発色するが、印字は蛍光を抑えて発色しないので鮮明に判読できる。
【００１７】
ブラックライトを照らさない状態において肉眼で見ると黒い用紙の上に黒い迷彩模様が有り、黒い印字の判読は困難である。
【００１８】
【発明の効果】
こうすることにより、コピーによる情報の流出を防ぐことが出来る。
【００１９】
また、ブラックライトがないと読めないので、盗み見され難い。
【００２０】
合成紙や、フィルムなどベースの素材が違う用紙でも同じ効果が得られるので、素材は限定しない。
【００２１】
印刷に替えて塗布しても同じ構造の用紙が製作できる。
【図面の簡単な説明】
【図１】本発明のコピー不可用紙の断面図である。
【符号の説明】
１  ブラックライトで発色する蛍光インキの層
２  黒色迷彩
３  黒色の用紙
【図１】
2004188950.tif 000003
(57)【要約】【課題】この発明は用紙を折り曲げないで収納し、使用しない時は折り畳め、携帯や整頓に優れた用紙ケースを提供する。【解決手段】平面状で柔軟材のケース本体１に用紙押さえ２と留め具オス３ａ、ケース本体１の裏側に留め具メス３ｂを設けた。用紙押さえ２に用紙６の端を差し込みケース本体１と用紙６を共に細く丸めていく事でケースの強度が増し、留め具オス３ａと留め具メス３ｂで保持します。尚、保持の補強とフタをする事になる上留め具オス４ａと上留め具大メス、下留め具オス５ａと下留め具大メス５ｂをつけます。用紙６を入れない場合ケース本体１は平面状で薄く柔軟なため折り畳めます。折り畳みを保持する場合、上留め具オス４ａと下留め具小メス５ｃをつけます、また反対側に折り畳むときは下留め具オス５ａと上留め具小メス４ｃをつけます。【選択図】図４
2004188947.tif 000002
【特許請求の範囲】
【請求項１】
用紙と共に丸めて収納でき使用しない時は折り畳めるよう平面状で柔軟材のケース本体（１）に用紙押さえ（２）と留め具オス（３ａ）留め具メス（３ｂ）を設けたことを特徴とする用紙ケース。
【発明の詳細な説明】
【０００１】
【発明の属する技術分野】
本発明は、ケース本体と用紙を共に細く丸めることで強度を増し用紙を折らずに収納でき、使わない時は折り畳める用紙ケースに関するものでる。
【０００２】
【従来の技術】
従来の用紙を丸めて収納するケースでは用紙を入れない時、ケースは折り畳めない（例えば、特許文献１参照。）。
また、丸めた用紙と共に展開しているケースもある（例えば、特許文献２参照。）。
【０００３】
【特許文献１】
実開平２−４４０８０号公報
【特許文献２】
特開２００１−１５８１９１号公報
【０００４】
【発明が解決しようとする課題】
これには次のような欠点があった。
（イ）ケースの強度はケース自体の強度にある。
（ロ）使用しない時、折り畳めない。
本発明は、これらの欠点を除くためになされたものである。
【０００５】
【課題を解決するための手段】
平面状で柔軟材のケース本体１に用紙押さえ２と留め具オス３ａ留め具メス３ｂを設けた。
本発明は、以上のような構成よりなる用紙ケースである。
【０００６】
【発明の実施の形態】
次に本発明の実施例について説明する。
用紙押さえ２に用紙６の端を差し込みケース本体１と用紙６を共に細く丸めていく事でケースの強度が増し、留め具オス３ａと留め具メス３ｂで保持します。尚、保持の補強とフタをする事になる上留め具オス４ａと上留め具大メス４ｂ、下留め具オス５ａと下留め具大メス５ｂをつけます。用紙６を入れない場合ケース本体１は平面状で薄く柔軟なため折り畳めます。折り畳みを保持する場合、上留め具オス４ａと下留め具小メス５ｃをつけます、また反対側に畳むときは下留め具オス５ａと上留め具小メス４ｃをつけます。ケース本体１の折り曲げを容易にするため凹みや、折り目のような加工を行うこともある。ケース本体１と用紙押さえ２の材質は容易に丸められ折り曲げも可能な柔軟な合成樹脂が適材だが紙や柔軟な金属もありえる。留め具オス３ａ留め具メス３ｂ上留め具オス４ａ上留め具大メス４ｂ上留め具小メス４ｃ下留め具オス５ａ下留め具大メス５ｂ下留め具小メス５ｃの材質はマジックテープ（登録商標）が適材だが貼りはがしが容易な粘着材や粘着テープまたは、磁石もありえます。
【０００７】
【発明の効果】
これには次のような効果がある。
（イ）ケースは収納した用紙と共に丸めることで強度を増します。
（ロ）用紙は丸めることで用紙を折らずに収納できます。
（ハ）使用しない時は折り畳めるため小さくなり携帯や整頓などに便利です。
（ニ）用紙の様な薄い製品を収納する時に便利です。
本発明は、これらの効果をもたらすものである。
【図面の簡単な説明】
【図１】本発明の斜視図である。
【図２】本発明の裏側方向の斜視図である。
【図３】ケース本体に折り畳みを容易にする凹みを入れた斜視図である。
【図４】（Ａ）本発明の用紙を入れた状況の斜視図である。
（Ｂ）本発明のケース本体を丸めて留め具を使用した斜視図である。
（Ｃ）本発明のケース本体を折り畳み留め具を使用した斜視図である。
【図５】本発明の用紙を入れ丸める状況の断面図である。
【符号の説明】
１    ケース本体
２    用紙押さえ
３ａ  留め具オス
３ｂ  留め具メス
４    上フタ
４ａ  上留め具オス
４ｂ  上留め具大メス
４ｃ  上留め具小メス
５    下フタ
５ａ  下留め具オス
５ｂ  下留め具大メス
５ｃ  下留め具小メス
６    用紙
【図１】
2004188947.tif 000003
【図２】
2004188947.tif 000004
【図３】
2004188947.tif 000005
【図４】
2004188947.tif 000006
【図５】
2004188947.tif 000007
(57)【要約】【課題】見本となる文章を記載して、その文章を参考にしたり、添削、加筆、修正、編集したりしながら、自分史のアイデアや構成やあらすじをまとめ、記入できるようにした、あるいは自分史の下書きや自分史そのものを記入できるようにした自分史作成支援本を提供する。【解決手段】本の片方の頁（１）に見本、参考となる文章を記載する。もう片方の頁に自らの自分史のアイデア、構成、あらすじ、あるいは自分史の下書きや自分史の原稿となる文章そのものを記入できるスペース（２）を設けたことを特徴とする。【選択図】    図１
2004188948.tif 000002
【特許請求の範囲】
【請求項１】
自分史作成の見本となる文章を記載した頁（１）を設け、その文章を参考にしたり、添削、加筆、修正、編集したりしながら自分史のアイデアや構成やあらすじをまとめ、記入できるようにした、あるいは自分史の下書きや自分史そのものを記入できるようにしたスペース（２）を設けた自分史作成支援本。
【発明の詳細な説明】
【０００１】
【発明の属する技術分野】
この発明は、本に記載された見本となる文章を参考にしながら、またはその文章を添削、加筆、修正、編集したりする過程において自分なりの自分史をつくりあげていくための本に関するものである。
【０００２】
【従来の技術】
従来より自分史を作成しようとなると何をどのようにして書き始め、かつどのようにまとめあげていけば良いかわからない人が多いものであった。実際に原稿用紙やワープロ、パソコンに向かって執筆活動をしようとするとそれなりの場所や機材等が必要となり、気軽に自分史を作成しようということは困難であった。
また、実際に作成する過程においては、自分史を製本・出版してくれる業者や編集に携わる担当者の助言を仰いだりすることは時間的にも費用的にも負担になっていた。だからといって自らの手でゼロの状態から自分史のアイデア、構成、あらすじ、自分史の下書きや自分史そのものの原稿をつくりあげていくには、それなりの知識やノウハウが必要であり、一般の人には困難な面も多く、自分史出版を目標に取り組んでも、出版化手前の下書き作成に至るまでに、あるいは原稿作成の途中で挫折する場合もあった。
【０００３】
【問題が解決しようとする課題】
これは次のような欠点があった。
イ．自分史をつくろうと考えても、知識やノウハウがなく取り組みにくいことがあった。
ロ．作文力や文章力との関係から、またノウハウ不足から途中で挫折することもあった。
ハ．原稿用紙やワープロ、パソコンを使い自分史の下書きや原稿作成を行うにはそれなりの場所や機材が必要となり制約も多かった。
ニ．製本や出版をしてくれる業者や編集に携わる担当者からの助言や指導を受けての原稿作成は時間的、費用的な面で障害にもなっていた。
本発明は以上の欠点を解決し、手軽に自分史の下書きや原稿を作成できるようにしたものである。
【０００４】
【課題を解決するための手段】
本の片方の頁（１）に見本、参考となる文章を記載する。もう片方の頁に自らの自分史のアイデア、構成、あらすじ、あるいは自分史の下書きや自分史の原稿となる文章そのものを記入できるスペース（２）を設ける。
次頁以降も同様に片方の頁に見本、参考となる文章を記載し、別の頁に自らが自由に記入できるスペースを設ける。
文章が記載された頁（１）への添削、加筆、修正、編集と自由に書き込むことができるスペース（２）への記入、活用にて自分なりの自分史をつくりあげていくことができる。
本発明は、以上の構成よりなる自分史作成支援本である。
【０００５】
【発明の実施の形態】
本発明の実施の形態は、自分史作成のための見本、参考となる文章を本の片方の頁（１）に記載する。そしてその文章に対して添削、加筆、修正、編集することができるスペースと一連の添削等の過程において自らの自分史のアイデア、構成、あらすじ、あるいは自分史そのものの下書きや自分史そのものを原稿として自由に記入することができるスペース（２）を対比的に設ける。
本発明は、以上の構成よりなっている。
本発明を使用するときは、記載された見本となる文章を読み、参考にしながら自分史の下書きや自分史そのものを記入していくことになる。スペース（２）を原稿用紙として機能させることになる。また、その見本となる文章を添削、加筆、修正、編集したりしながら、自分の履歴を振り返り、自分史作成のためのアイデア、構成、あらすじ等をまとめたり、記入したりすることもできるようになっている。見本となる文章の添削、加筆、修正、編集は文章が記載された頁（１）に直接記入することもできるし、自由に記入できるスペース（２）にも記入することができる。
一連の書き込みが終了することで最終的には、自分史の下書きや自分史そのものの原稿ができあがることになる。
【０００６】
【発明の効果】
本発明を使用することによって、自分史づくりを意図した時に、それなりの知識やノウハウがなくても、あるいは作文力や文章力が際立っていなくても、自分史をつくることに抵抗なく取り組むことが可能となる。
また、原稿用紙やワープロ、パソコンといった機材等は不要であり、本発明自体は持ち運びが可能であるし、本発明と筆記用具があれば、いつでもどこでも気軽に自分史作成のための下書きや原稿作成ができる。
さらに、一連の書き込み作業が終了した時点で本発明は自分史の原稿や下書きとして十分に機能することになるので、本発明を印刷会社や出版会社に持ち込めばその後の出版化がスムーズにいくことになる。
本発明は自分史作成のきっかけとなるとともに、活字離れに対しての歯止めとしての貢献、あるいは創作活動の喜びの喚起とその体験を通じての出版文化の底辺拡大と出版文化発展への寄与に資するものである。
【図面の簡単な説明】
【図１】本発明の斜視図
【符号の説明】
１  見本、参考となる文章の記載された頁
２  自らの手で自由に記入できるスペース
【図１】
2004188948.tif 000003
(57)【要約】      （修正有）【課題】会議、学習会、講習会、勉強会等で種々の参考資料を頂きますが、分厚い資料等を除き、少量の参考資料等をその帳面、書籍等にはさんだりして保管する場合が多く、その資料が紛失することもあり参考資料等保管ケースを使用することにより紛失防止、または参考資料等が関連する帳面、書籍等と一緒に保管されているのでその資料を容易に取り出すことができ便利である。【解決手段】各種帳面に参考資料等保管ケース４を取り付けた場合、参考資料等の厚さで筆記に支障が生じるため参考資料等保管ケースと各帳面の紙面との間にビニール板６等を設け筆記に支障ないようにする。参考資料等保管ケースを取り付けるときは参考資料等保管ケースの裏面に両面テープ等を付して各種帳面、書籍等表紙の前部裏面、後部裏面または両裏面に参考資料等保管ケースを装着させる。【選択図】図１
2004188946.tif 000002
【特許請求の範囲】
【請求項１】
１．各種帳面、書籍等表紙の前部裏面、後部裏面または両裏面に参考資料等保管ケースが装着済みの各種帳面、書籍等
２．各種帳面、書籍等の表紙の前部裏面、後部裏面または両裏面に装着させる参考資料等保管ケース
３．各種帳面の参考資料等保管ケースと各種帳面の紙面との間にビニール板等を設けた参考資料等保管ケース
【発明の詳細な説明】
この発明は各種帳面、書籍等表紙の前部裏面、後部裏面または両裏面に参考資料等保管ケースが装着されてある各種帳面、書籍等または参考資料等を保管するための参考資料等保管ケースである。
会議、学習会、講習会、勉強会等で種々の参考資料を頂きますが、分厚い資料等を除き、少量の参考資料等をその帳面、書籍等にはさんだりして保管する場合が多く、その資料が紛失することもあり参考資料等保管ケースを使用することにより紛失防止、または参考資料等が関連する帳面、書籍等と一緒に保管されているのでその資料を容易に取り出すことができ便利である。
各種帳面に参考資料等保管ケースを取り付けた場合、参考資料等の厚さで筆記に支障が生じるため参考資料等保管ケースと各帳面の紙面との間にビニール板等を設け筆記に支障ないようにする。
請求項▲２▼の参考資料等保管ケースを取り付けるときは参考資料等保管ケースの裏面に両面テープ等を付して各種帳面、書籍等表紙の前部裏面、後部裏面または両裏面に参考資料等保管ケースを装着させる。
【図面の簡単な説明】
【図１】各種帳面、書籍等表紙の前部裏面または後部裏面に参考資料等保管ケースが装着済み、または装着をした参考資料等保管ケースの斜視図で参考資料等保管ケースに種々の形があるその中のＡ図とＢ図の２つの見本図で図面の各個所（丸数字）の説明文は共通である。
【図１】
2004188946.tif 000003
(57)【要約】【課題】  本発明は、印刷機、とりわけ枚葉紙オフセット印刷機の乾燥器に用いられ、ケーシング内に配置された放射体チューブ及び配設された反射器からなるエキシマ放射体に関するものである。本発明の課題は、高い放射パワーをコンパクトな組み立てスペースで実現するエキシマ放射体を提供することにある。【解決手段】  本発明により、ケーシング１内には、互いに平行に延在する放射体チューブ２，３が設けられ、該放射体チューブのそれぞれには、所定の放射分布を生成するための反射部４，５が配設されている。【選択図】  図１
2004188975.tif 000002
【特許請求の範囲】
【請求項１】
印刷機、とりわけ枚葉紙オフセット印刷機の乾燥器に用いられ、ケーシング内に配置された放射体チューブ及び配設された反射器からなるエキシマ放射体であって、
前記ケーシング（１）内には、互いに平行に延在する放射体チューブ（２，３）が設けられ、該放射体チューブのそれぞれには、所定の放射分布を生成するための反射部（４，５）が配設されていることを特徴とするエキシマ放射体。
【請求項２】
請求項１に記載のエキシマ放射体において、
前記ケーシング（１）内には、２つの互いに平行に延在する放射体チューブ（２，３）が配置されていることを特徴とするエキシマ放射体。
【請求項３】
請求項１又は請求項２に記載のエキシマ放射体において、
前記反射部（４，５）は、一緒になって反射系を形成していることを特徴とするエキシマ放射体。
【発明の詳細な説明】
【技術分野】
【０００１】
本発明は、請求項１の前提部分おいて書き部に記載の印刷機の乾燥器のためのエキシマ放射体に関する。
【背景技術】
【０００２】
枚葉紙オフセット印刷機では、印刷される枚葉紙は、胴及びドラムにより、個々の印刷装置を通して、さらには、最後の印刷装置の後、一つないし複数のニス引き装置及びその他の加工装置を通して搬送される。チェーン機構によって、上記枚葉紙は、最後のドラムから排紙装置紙積み部へと搬送される。印刷装置同志の間、最後の印刷装置と排紙装置もしくはニス引き装置との間の搬送時に、印刷したばかりの枚葉紙を汚さないようにするために、複数箇所に乾燥装置が設けられている。
【０００３】
ＵＶインキを印刷する場合には、ＵＶ放射体および特にエキシマ放射体が乾燥器として用いられている。枚葉紙の印刷された側に向けられたＵＶ線は、最大印刷速度でもインキが完全に硬化するような強度と分布になっている。インキが完全に硬化していないと、枚葉紙が枚葉紙ガイド装置に接触した際、もしくは排紙装置内で、傷んだり、さらにはその結果として印刷損紙になったりする。枚葉紙オフセット印刷機用のエキシマ放射体は、例えば、特許文献１としての欧州特許出願公開第３７８８２６号明細書、特許文献２としての独国特許出願公開第１９８５７９８４号明細書、そして特許文献３としての欧州特許第８９１５２５号明細書から公知となっている。
【０００４】
チューブ状（管状）に形成されたエキシマ放射体で生成された光線は、強く発散する。これは、放電空間が、絶縁体を収容するスペースの内側及び外側のチューブ（管）によって形成された円形の断面を有していることに原因がある。四角形状の反射器を有する平らな放射体は、近傍領域（数ｍｍ）にしか技術的に利用可能な照射放射パワーが供給されない。この場合、離れるに従って、ＵＶ強度は急激に減少する。
【０００５】
枚葉紙オフセット印刷機の場合、放射体と被印刷材料面との間の距離は、技術的な理由から数ｃｍにある。この場合、組み立てスペースが限られていることが多い。そのため、技術的に利用可能な強度を得るために、光線を指向させなければならない。
【０００６】
欧州特許第８９１５２５号明細書に係るＵＶ放射体は、印刷機の版型幅に亙って延在する光線生成体としてのチューブを備え、このチューブがケーシング内に設けられた反射器と協働する。このチューブによって生成された光線は、被印刷材料の方に向けて偏向される。高速で稼動する枚葉紙印刷機の場合にはまさに、エキシマ放射体により放射される印刷枚葉紙の領域で高い放射パワーが得られることがＵＶインキ印刷において重要となる。印刷インキを硬化させるために、幾つもの個々の放射体が順に配置されることもよく行われるが、これは、印刷機の中に然るべき組み立てスペースを必要とする。
【特許文献１】欧州特許出願公開第３７８８２６号明細書
【特許文献２】独国特許出願公開第１９８５７９８４号明細書
【特許文献３】欧州特許第８９１５２５号明細書
【発明の開示】
【発明が解決しようとする課題】
【０００７】
従って、本発明の課題は、請求項１の前提部分おいて書き部に記載のエキシマ放射体をさらに改善して、高い放射パワーをコンパクトな組み立てスペースで実現することにある。
【課題を解決するための手段】
【０００８】
この課題は、請求項１の特徴部分に記載の構成により解決される。本発明のさらなる構成は、下位請求項に与えられている。
【発明を実施するための最良の形態】
【０００９】
本発明によれば、ケーシング内には、互いに平行に延在するエキシマ放射体チューブのそれぞれが、配設された反射器を有して設けられている。これにより、光線が密に束ねられる高い光線ビーム化とともに、コンパクトな構造が実現される。これらのエキシマ放射体チューブに対して設けられた反射器は、このとき、放物線形状とされていることが好ましい。チューブは、２本設けられることが好ましい。
【００１０】
配設された、そして好ましくは一緒になって反射器を形成する反射器部分とともにケーシング内に２本の放射体チューブが平行に配置されることによって、所定の隔たりに応じて被印刷材料が最適に照射される。ミラーの幾何学的形状は、距離に応じて計算で求められる。このとき、相応のパラメータは、ミラー形状、ミラーに対する放射体チューブの位置／向き、そして、ミラー部材の相対的な傾斜角度である。
【００１１】
さらに、図面に基づき本発明の実施形態を説明する。図１は、反射器が配設された２本の放射体チューブの構成の斜視図である。
【００１２】
２つの放射体チューブ２，３は、下方に光線を通過させる（解放された）ケーシング１の内部に平行に延在している。これらの放射体チューブ２，３は、図示されぬ収容部を介して、両側の部分でケーシング１のホルダにそれぞれ固定されている。
【００１３】
各放射体チューブ２，３に対して、反射部４，５が設けられ、これらの反射部が合わせて反射系を形成している。反射部４，５は、このとき、放射体チューブ２，３の配置と距離に関して計算されて形状が決定され、これにより、放射体チューブ２，３の所望の距離において必要な放射強度が得られるようになっている。
【図面の簡単な説明】
【００１４】
【図１】反射器が配設された２本の放射体チューブの構成の斜視図である。
【符号の説明】
【００１５】
１・・・ケーシング
２，３・・・放射体チューブ
４，５・・・反射部
【図１】
2004188975.tif 000003
(57)【要約】【課題】筆記用下敷と定規を使って、例えばノートなどに直線を引く場合に、定規がふらつかないで直線が引き易くする文具を目的とする。【解決の手段】下敷（４）は、鉄板又は鉄系のステンレス板からなる着磁板（３）で、その片面又は両面にプラスクック板（１）を接合して設ける。三角定規（５）又は物差（７）の一面に凹状部（６）を設け、該凹状部（６）に磁石（８）を取り付ける、又は定規と磁石を一体成形して設ける。【選択図】  図４
2004188952.tif 000002
【特許請求の範囲】
【請求項１】
着磁板の片面又は両面にプラスチック板を接合した筆記用下敷。
【請求項２】
三角定規及び物差、又は分度器などの一面に磁石を設けた定規。
【発明の詳細な説明】
【０００１】
【発明の属する技術分野】
本発明は下敷と定規を使って線引きをする場合に、定規がふらつかなくする為の下敷と定規に関する。
【０００２】
【従来の技術】
従来の下敷はプラスチック製、又はアルミ製などであった、又定規に於いては、プラスチック製が主でたまにアルミ製があった。下敷は紙の保護を目的とし、定規は寸法や角度を秤り、又線を引くのに用い、特に下敷と定規との相関はなかった。
【０００３】
【発明が解決しようとする課題】
従来、紙に直線を引く場合下敷を用いる、時には用いない、何れにしても定規を用いるのが常である、そして何本かの直線を引いているうちに、一寸した手の力の緩みから定規が動いて線が曲がってしまう欠点があった。
【０００４】
【課題を解決するための手段】
本発明は上記の欠点を解決するため、下敷に於いてはプラスチック板と着磁板を接合する。又定規に於いては定規の平面などに凹状部を設け、その凹状部に磁石を設ける。
【０００５】
上記のように構成され、下敷の上に紙を載せ、その紙の上に定規を置いて直線を引く場合、定規に設けた磁石と下敷の着磁板に吸引力が働き定規が安定する。尚、下敷と定規をそれぞれ別々に用いても従来品と全く変わりなく使用出来る。
【０００６】
【発明の実施の形態】
発明の実施の形態を実施例にもとづき図面を参照して説明する。
図１、図２に於いて、プラスチック板（１）の上面に接着剤（２）を設け、その上に鉄板又は鉄系ステンレス板である着磁板（３）を貼り付けて下敷（４）を構成する。或いは、着磁板（３）の両面に、その着磁板（３）よりも外周が少し大き目のプラスチック板（１）を用いて、着磁板（３）の外周を封じ込めるように貼り付けてもよい、図は省略。
【０００７】
図３に於いて、三角定規（５）の下面に円形の凹状部（６）を複数個設ける。
図４に於いて、物差（７）の下面に長方形の凹状部（６）を設ける。
図５に於いて、図３、図４に設けた凹状部（６）に磁石（８）を接着する。
尚、磁石は薄形磁石やゴム磁石などで、凹状部も共に形状は任意である。
又、定規には凹状部を設けずに磁石を一体成形してもよい。但し、この場合成形後に磁化するのが理想的である。
【０００８】
【発明の効果】
本発明は、以上説明したように構成されており下記のような効果がある。
【０００９】
着磁板を設けた下敷と磁石を設けた定規を使え合わせることにより、線引きの途中に定規を押さえる力が多少緩むことがあっても、又手を放しても定規は所定の位置に止まっている効果がある。
【００１０】
従って、一般事務、家庭の主婦、特に指の力の弱い学童などには優れた効果があり最適なものである。
又スチール机の場合はそのまま定規の磁石が効果を発揮する。
【図面の簡単な説明】
【図１】本発明の下敷（４）の平面図である。
【図２】図１の側面拡厚図である。
【図３】三角定規（５）の下面に円形の凹状部（６）を複数個設けた場合の平面図である。
【図４】物差（７）の下面に長方形の凹状部（６）を設けたところの平面図である。
【図５】図３の三角定規及び図４の物差の下面に設けた凹状部（６）に磁石（８）を取り付けたところを示すＡ−Ｂ及びＣ−Ｄを兼ねる断面拡大図である。
【符号の説明】
１―――プラスチック
２―――接着剤
３―――着磁板
４―――下敷
５―――三角定規
６―――凹状部
７―――物差
８―――磁石
【図１】
2004188952.tif 000003
【図２】
2004188952.tif 000004
【図３】
2004188952.tif 000005
【図４】
2004188952.tif 000006
【図５】
2004188952.tif 000007
(57)【要約】【課題】隙間が狭く、奥の深い場所を接着できるグルーガン用ノズル及びグルーガンを提供するもので、目的に応じてノズルを交換できるものである。【解決手段】グルーガン本体の先端部に着脱自在に取り付けるグルーガン用ノズルであって、後端部に雄ネジ部を設けると共に、先端部をテーパー状に形成してなることを特徴とする。【選択図】  図１
2004188400.tif 000002
【特許請求の範囲】
【請求項１】
グルーガン本体の先端部に着脱自在に取り付けるグルーガン用ノズルであって、後端部に雄ネジ部を設けると共に、先端部をテーパー状に形成してなることを特徴とするグルーガン用ノズル。
【請求項２】
内径がφ０．９ｍｍからφ１．２ｍｍであることを特徴とする請求項１記載のグルーガン用ノズル。
【請求項３】
外径がφ３．０ｍｍ位で、先端外径をφ１．３ｍｍからφ１．６ｍｍであることを特徴とする請求項１又は２記載のグルーガン用ノズル。
【請求項４】
長さが１８ｍｍから２５ｍｍであることを特徴とする請求項１、２又は３記載のグルーガン用ノズル。
【請求項５】
グルーガン用ノズルの材質を純銅とすることを特徴とする請求項１、２、３又は４記載のグルーガン用ノズル。
【請求項６】
請求項１、２、３、４又は５記載のグルーガン用ノズルを着脱自在に設けてなることを特徴とするグルーガン。
【発明の詳細な説明】
【０００１】
【発明の属する技術分野】
本発明は、スティック状の固形樹脂をヒーターにて加熱して溶かして接着するグルーガンに着脱自在に取り付けるノズル及びそのグルーガンに関するものである。
【０００２】
【従来の技術】
従来のグルーガンＧは、ピストル型で、セットした円柱状の固形樹脂ＫがレバーＲを押すことにより前方に押し出され、ヒーターＨを通過することにより溶解し、円錐台形のノズルＮから流出させるものである。
このノズルＮの形状は、長さＮＧが１５ｍｍで、先端の外径ＧＫがφ５ｍｍである。
また、開閉弁とトリガレバーとガンノズルを備え、トリガレバーを操作して開閉弁を開き、ガンノズルから接着剤を吐出する手持ち用グルーガンにおいて、ガンノズルにガンノズルよりも大径のリングあるいは放射状脚等の支持脚を装着し、グルーガンを床面に置いたときに、ガンノズルの先端が床面に接触しないように構成したことを特徴とするグルーガンがある。（特許文献１参照）
【０００３】
【特許文献１】
特開２００１−２３２２６２号公報（請求項１、図１）
【０００４】
【発明が解決しようとする課題】
しかし、上記前者のような形態では、ノズルＮの長さＮＧが短く、先端の外径ＧＫが大きいことにより、隙間が狭く、奥の深い場所（例えば、ドライフラワー等の花弁を接着する場合等）を接着しようとしても入り込むことができないため、接着できなかった。
また、無理やり入れ込み接着しようとすると被接着物を傷付けたり、上方より落し込んで接着しようとすると見栄えが悪くなる等、接着できる形態のものが切望されていた。
さらに、上記後者（特許文献１）のような形態のものは、グルーガンを床面に置いたときに、ガンノズルの先端が床面に接触しないように構成してなるもので、本発明とは本質的に異なるものである。
さらにまた、上記特許文献１はエアゾル缶タイプの接着剤カートリッジを使用するタイプのもので、構造が全く異なるものである。
本発明は、上記の問題点に鑑みなされたもので、その目的は、隙間が狭く、奥の深い場所を接着できるグルーガン用ノズル及びグルーガンを提供するもので、目的に応じてノズルを交換できるものである。
【０００５】
【課題を解決するための手段】
上記問題点を解決するための手段として、グルーガン本体の先端部に着脱自在に取り付けるグルーガン用ノズルであって、後端部に雄ネジ部を設けると共に、先端部をテーパー状に形成してなること。また、内径がφ０．９ｍｍからφ１．２ｍｍであること。外径がφ３．０ｍｍ位で、先端外径をφ１．３ｍｍからφ１．６ｍｍであること。さらに、長さが１８ｍｍから２５ｍｍであること。さらにまた、グルーガン用ノズルの材質を純銅とすること。その上、グルーガン用ノズルを着脱自在に設けてなることを特徴とする。
【０００６】
【発明の実施の形態】
グルーガン用ノズル１は、外径１ａ約φ３．０ｍｍで、内径１ｂ約φ０．９ｍｍから約φ１．２ｍｍ、長さ１ｃ約１８ｍｍから約２５ｍｍの純銅製のパイプの後端部にＭ３ｍｍの雄ネジ部１ｄを長さ１ｅ約３ｍｍ設け、先端部を長さ１ｆ約１０ｍｍのテーパー状（先細りテーパー状）１ｇに形成してなるもので、先端外径１ｈを約φ１．３ｍｍから約φ１．６ｍｍとしてなるものである。
【０００７】
上記グルーガン用ノズル１は、グルーガンＧ１のグルーガン本体Ｇ１ａの先端のノズルＮ１に雄ネジ部１ｄをネジ込み着脱自在に螺設してなるもので、固形樹脂Ｋ１をセットした後、ヒーターＨ１を１３０℃位に上昇させ、レバーＲ１を押すことにより、固形樹脂Ｋ１が前方に押し出され、ヒーターＨ１を通過することにより溶解し、ノズルＮ１を通り、ノズル１の先端より流出させるものである。
用途として、隙間が狭く、奥が深い場所の物に対して対応できるもので、特にドライフラワーＤ（プリザーブドフラワー等）の花びらＨＢとがくＧＡの付根部分ＴＢにグルーガンＧ１のノズル１を挿入し、接着するのに有効である。
また、花びらＨＢを一旦解体し、再度形よく成形する場合や形を整える場合に有効である。
【０００８】
上記グルーガン用ノズル１は、内径１ｂと長さ１ｃとのバランスにより形成されるもので、例えば内径１ｂがφ０．９ｍｍの場合、長さ１ｃを１８ｍｍとし、内径１ｂがφ１．２ｍｍの場合は、長さ１ｃを２５ｍｍとするものである。
つまり、溶解した樹脂が途中で固まらないように設計してなるものである。
【０００９】
【発明の効果】
１）、本発明のグルーガン用ノズルは、グルーガン本体に着脱自在に取り付けられるもので、特に隙間が狭く、奥の深い場所を接着するのに有効である。
２）、グルーガン用ノズルは、流通性を確保するため熱伝導率が高い純銅が望ましく、長さを１８ｍｍから２５ｍｍまでにすると共に、挿入しやすいように先端部をテーパー状に形成してある。
３）、内径をφ０．９ｍｍからφ１．２ｍｍに設定でき、用途に合わせて使用できるものである。
４）、先端外径をφ１．３ｍｍからφ１．６ｍｍに設定でき、より細い場所にも対応できるものである。
５）、グルーガンにおいては、各種グルーガン用ノズルを必要に応じて着脱自在に取り付けて使用できるため、多目的に使用できる。
【図面の簡単な説明】
【図１】本発明の一実施例を示すグルーガン用ノズルの正面図。
【図２】本発明の一実施例を示すグルーガンの正面図。
【図３】本発明の一実施例を示すグルーガンの使用状態図。
【図４】従来例のグルーガンの正面図。
【符号の説明】
１−−−グルーガン用ノズル
１ａ−−外径
１ｂ−−内径
１ｃ−−長さ
１ｄ−−雄ネジ部
１ｅ−−長さ
１ｆ−−長さ
１ｇ−−テーパー状
１ｈ−−先端外径
Ｇ１−−グルーガン
【図１】
2004188400.tif 000003
【図２】
2004188400.tif 000004
【図３】
2004188400.tif 000005
【図４】
2004188400.tif 000006
(57)【要約】      （修正有）【課題】森林イオン、薬草イオン、香辛イオンを室内で人工的に発生させる方法がなかった。【解決手段】イオン放出体である樹木の一部または全部または草本類または香辛体に高電圧を印加し電気によるイオン発生力を本来のイオン発生力に重畳する。【効果】安定した森林イオン、薬草イオン、香辛イオンを室内で入手できるようになった。【選択図】図１
2004188399.tif 000002
【特許請求の範囲】
【請求項１】
高電圧電源にイオン放出体を接続したイオン発生装置において、イオン発生体として樹木の一部または全部を使用することを特長とするイオン発生装置
【請求項２】
高電圧電源にイオン放出体を接続したイオン発生装置において、イオン放出体として草本類または蘚苔類の一部または全部を使用することを特長とするイオン発生装置
【請求項３】
高電圧電源にイオン放出体を接続したイオン発生装置において、イオン放出体として香辛体または香辛体を含む物体を使用することを特長とするイオン発生装置
【発明の詳細な説明】
【０００１】発明の属する技術分野
森林イオン・薬草イオン・香辛イオン発生装置に関する
【０００２】従来の方法
自然界に存在するイオン源の近傍におもむき、天然に存在する森林イオンまたは薬草イオンまたは香辛イオンを吸入するという受け身の方法しか与えられていない。
【０００３】発明が解決しようとする課題
森林イオンであれば森林イオン発生源である生気の高い樹木から、薬草イオンであれば生気の高い薬草から、香辛イオンであれば生気の豊かな香辛源に人為的に森林イオンまたは薬草イオンまたは香辛イオンを大量に発生させ、それを気流に乗せて所要空間に配分する方法と装置を発明すればよい。
【０００４】課題を解決するための手段
樹木が有しているイオン発生力、薬草が有しているイオン発生力、香辛源が有しているイオン発生力に人為的なイオン発生力を重畳し、生じたイオンを速やかにイオンを所望する空間に気流に乗せて搬送する手段として、本発明では、高電圧を樹木または薬草または香辛源に印加して得られる樹木または薬草または香辛源に生じるコロナイオンを使用し、生じたイオンは自然対流にのせるかまたは送風機で所定の方向にイオンを空気輸送する。
【０００５】発明の実施の形態
イオン放出体は非金属性の物体であるから、電源との接続に工夫が必要である。
【０００６】実施例１
図１は樹木の一部である小枝をイオン放出体とした場合の電源と樹木の小枝との接続方法及びイオン放出に関する説明図で、１はイオン放出体としての樹木の小枝、２は小枝の収納容器としての花瓶、３は高電圧を給電するための電極端子、４は電極で花瓶中の水中に挿入される、５は電源、６は収納容器を大地から絶縁するための絶縁台である。
本装置では、高電圧が端子、電極、水を通じてイオン放出体１に伝達され、イオン放出体から樹木イオンすなわち森林イオンが放出される。ただし、電源は高電圧であるから、絶縁を良好にする、電源内で１００ＭΩ以上の高抵抗を直列に入れて出力電流を２０μＡ以下に保つ等、感電の危険を除去しておく必要がある。
【０００７】効果
森林イオンを容易に室内で入手できるようになった。
【０００８】実施例２
図２はイオン放出体に草本類を使用した場合の電源と草本との接続法方およびイオン放出に関する説明図で、１はイオン放出体としての薬草、２は薬草の収納容器としての植木鉢、３は電極端子、４は電極、５は電源、６は絶縁台である。
本装置では、高電圧が端子、電極、土中の水分を通してイオン放出体１に伝達される。ただし、電源は高電圧であるから絶縁を良好にする、電源内部に１００ＭΩ以上の高抵抗を直列に接続して、出力電流が２０μＡ以下に保つ等、感電の危険を除去しておく必要がある。
【０００９】効果
薬草イオンを室内で容易に必要量を入手できるようになった。
【００１０】実施例３
図３は香辛体をイオン放出体に使用した場合の電源と香辛体との接続方法およびイオン放出に関する説明図で、１はイオン放出体としての香辛体、２は香辛体の収納容器としての受け皿、３は電極端子、４は電極、５は電源、６は絶縁台である。
本装置では、高電圧が電極端子・電極を通してイオン放出体１に伝達され、イオン放出体から香辛イオンが放出される。ただし、電源が高電圧であるから、絶縁を良好にする、電源内部に１００ＭΩ以上の高抵抗を直列に挿入し、出力電流が２０μＡ以下に保つ等、感電の危険を除去しておく必要がある。
【００１１】効果
室内の香辛イオンの種類と濃度を任意の値に容易に調整できるようになった。
【図面の簡単な説明】
【図１】イオン放出体として樹木の小枝を使用し森林イオンを発生させる装置の構造の説明図
【図２】イオン放出体として植木鉢に植栽された薬草を使用し薬草イオンを発生させる装置の構造の説明図
【図３】イオン放出体として香辛体を使用し香辛イオンを発生させる装置の構造の説明図
【符号の説明】
１・・・イオン放出体、  ２・・・収納容器（花瓶・植木鉢・皿等）
３・・・電極端子、  ４・・・電極、  ５・・・電源、
６・・・絶縁台
【図１】
2004188399.tif 000003
【図２】
2004188399.tif 000004
【図３】
2004188399.tif 000005
(57)【要約】【課題】気液分離膜の十分な耐久性を達成し、インク吸引の繰り返しによる劣化や気液分離部材からのインク漏れなどの発生を防止しインク充填の安定性に優れた信頼性の高いピットインインク供給方式を用いるインクジェットカートリッジを提案することを目的とする。【解決手段】液体吐出口を有する記録ヘッドと、記録ヘッドに供給される液体を貯蔵する液体貯蔵室と、液体貯蔵室のメインタンクと接続される液体供給口と、液体貯蔵室の一部に設けられた大気と連通する気液分離部材と、気液分離部材を介して大気と連通する気体連通口からなり吐出ユニット部を備え、前記気液分離部材を吸引することで、メインタンクよりインクの補充を行い、また、吐出ユニット部から液体貯蔵室内を吸引することで、記録ヘッドのインク詰まりを解消するインクジェットカートリッジにおいて、前記気液分離部材が複数の貫通細孔を有するアルミナのシートからなる。【選択図】        図１
2004188640.tif 000002
【特許請求の範囲】
【請求項１】
液体吐出口を有する記録ヘッドと、
記録ヘッドに供給される液体を貯蔵する液体貯蔵室と、
液体貯蔵室の一部に設けられたメインタンクと接続される液体供給口と、
液体貯蔵室の一部に設けられた大気と連通する気液分離部材と、
気液分離部材を介して大気と連通する気体連通口からなる吐出ユニット部を備え、
気体連通口より前記気液分離部材を吸引することで、メインタンクよりインクの補充を行い、また、吐出ユニット部から液体貯蔵室内を吸引することで記録ヘッドのインク詰まりを解消するインクジェットカートリッジにおいて、前記気液分離部材がアルミナのシートからなり、かつ前記アルミナシートを貫通する複数の細孔が形成されていることを特徴とするインクジェットカートリッジ。
【請求項２】
気液分離部材がアルミニウムのシートに陽極酸化を施すことによって形成される多孔質性のアルミナシートからなることを特徴とする請求項１に記載のインクジェットカートリッジ。
【請求項３】
気液分離部材に撥水性を付与する処理がなされていることを特徴とする請求項１に記載のインクジェットカートリッジ。
【請求項４】
前記気液分離部材の少なくとも片面側に前記気液分離部材を支持する気液分離部材押圧部材を備えることを特徴とする請求項１に記載のインクジェットカートリッジ。
【発明の詳細な説明】
【０００１】
【発明の属する技術分野】
本発明は、各種記録分野に利用されるインクジェットカートリッジに関するものであり、さらに詳しくは、ピットインインク供給方式を用いたインクジェットカートリッジに関するものである。
【０００２】
【従来の技術】
ピットインインク供給方式を用いたインクジェットカートリッジの代表例として、特開２０００−３３４９８２号公報に記載のインクジェットカートリッジが挙げられる。特開２０００−３３４９８２号公報のインクジェットカートリッジは、吸引口から内部に導入した負圧によって、取入れ口から内部にインクを取入れ可能であって、吸引口にインクは通さずに気体を通す気液分離部材を備えている。この気液分離部材が満タン弁の役目を果たしており、インクの補充を容易に、かつ、確実に行うことができる。
【０００３】
【発明が解決しようとする課題】
従来、気液分離膜としては繊維状に加工されたフッ素系の樹脂が用いられてきた。しかし前記気液分離膜は耐久性が十分ではなく、インク吸引の繰り返しにより劣化を生じ、気液分離部材からのインク漏れなどが発生するという問題があった。さらに前記気液分離膜は、その材質や構造の再現性が悪く、所望の気液分離特性をもつ部材を安定して供給することが困難であった。
【０００４】
本発明はかかる問題を解決し、気液分離部材の劣化によるインク漏れを防止しインク充填の安定性に優れた信頼性の高いピットインインク供給方式を用いるインクジェットカートリッジを提案することを目的とする。
【０００５】
【課題を解決するための手段】
上記目的を達成するために、本発明は液体吐出口を有する記録ヘッドと、記録ヘッドに供給される液体を貯蔵する液体貯蔵室と、液体貯蔵室の一部に設けられたメインタンクと接続される液体供給口と、液体貯蔵室の一部に設けられた大気と連通する気液分離部材と、気液分離部材を介して大気と連通する気体連通口とを有し、気体連通口より液体貯蔵室内を吸引することで、メインタンクよりインクの補充を行うインクジェットカートリッジにおいて、前記気液分離部材が多孔質性のアルミナシートからなることを特徴とする。
【０００６】
また、前記多孔質性のアルミナシートからなる気液分離部材がアルミシートの陽極酸化によって形成されることを特徴とする。アルミを陽極酸化することにより、厚さ方向に多数の細孔を再現性良く形成することができる。陽極酸化の条件を適宜設定することにより細孔の径や密度を調整することが可能である。
【０００７】
また、前記多孔質性のアルミナシートには撥水性を施す処理がなされていることを特徴とする。
【０００８】
また、前記気液分離部材の少なくとも片面側に前記気液分離部材を支持する気液分離部材押圧部材を備えることを特徴とする。
【０００９】
【発明の実施の形態】
（実施形態１）
図１は、本発明の実施形態１のインクジェットカートリッジの断面である。１は液体を吐出するための吐出ユニット部であり、２は吐出ユニット部へ供給する液体を貯蔵する液体貯蔵室である。（本実施形態では特に吐出ための液体を以下インクと称する）液体貯蔵室２内にはインクを吸収保持する吸収体（不図示）が充填されている。３はメインタンク（不図示）と接続される液体供給口である。４は液体貯蔵室２を閉空間にするためのフタ部材であり、５は気液分離部材であり、６は気液分離部材５を上部から押圧する気液分離部材押圧部材であり、７は気液分離部材５を下部から押圧する気液分離部材押圧部材であり、８はフタ部材に接合されるカバープレート部材である。９は吸引ポンプと接続される大気連通口である。本実施形態の気液分離部材５は厚さ５０μｍのアルミ箔を陽極酸化し、厚さ方向に貫通する多数の細孔が形成し、その後フッ素系撥水溶液に浸すことにより表面および細孔内壁面を撥水処理したものである。
【００１０】
【発明の効果】
本発明により安定した特性と高耐久性を有する気液分離部材が供給され、信頼性の高いピットインインク供給方式を用いるインクジェットカートリッジが提供される。
【図面の簡単な説明】
【図１】本発明の実施形態１であるインクジェットカートリッジの断面図。
【符号の説明】
１  吐出ユニット部
２  液体貯蔵室
３  液体供給口
４  フタ部材
５  気液分離部材
６  気液分離部材押圧部材
７  カバープレート部材
８  大気連通口
【図１】
2004188640.tif 000003
(57)【要約】【課題】洗濯物をハンガーに干す際に落下を避けるためピンチを使用していたがその手間を省き、片手でハンガーを持ってピンチを開き、空いたもう片方の手で洗濯物をハンガーに掛ける事が出来るように操作性の良いピンチの機能を併せ持ったハンガーを提供する。【解決手段】フック部より片方のみに斜め下方向に肩部が下がり、この肩部が湾曲部を経て水平方向に洗濯物保持部と連続している構造とし、この洗濯物保持部全体に沿って上部に洗濯物を押さえるピンチ部を取り付け、このピンチ部は洗濯物保持部の湾曲部側の端を支点として洗濯物保持部と嵌合しており、ピンチ部の上記支点近くの上部に垂直に指を掛ける為の取っ手を設け、さらにその嵌合部にバネを取り付け、ピンチ部が洗濯物保持部を圧着するようにする。【選択図】        図１
2004188139.tif 000002
【特許請求の範囲】
【請求項１】
フック部より片方のみに斜め下方向に肩部が下がり、この肩部が湾曲部を経て水平方向に洗濯物保持部と連続している構造を持ち、この洗濯物保持部全体に沿って上部に洗濯物を押さえるピンチ部があり、このピンチ部は洗濯物保持部の湾曲部側の端を支点として洗濯物保持部と嵌合されており、ピンチ部の上記支点近くの上部に垂直に指を掛ける為の取っ手が設けており、さらにその嵌合部にバネが備えられていてピンチ部が洗濯物保持部を圧着するようになされている事を特徴とする洗濯物ハンガー。
【発明の詳細な説明】
【０００１】
【発明の属する技術分野】
本発明は洗濯物を干す際に使用するハンガーとこれに関係するピンチに関連する。
【０００２】
【従来の技術】
従来のハンガーは衣類を掛ける為にあり、それを留める機能を持つものとしてピンチがあった。ハンガーにピンチを固定したものはあったがあくまでもハンガーとピンチの機能はそれぞれ別々の独立しているものが多い。
【０００３】
【発明が解決しようとする課題】
従来はまず洗濯物をハンガーに掛けてから落ちないようにピンチでハンガーに衣類を留める。そのためにピンチをハンガーとは別に用意する必要があり、両手を使用するため使い勝手が悪い。
【０００４】
【課題を解決するための手段】
本発明はこれら課題を解決し、所期の目的を好適に達成するためになされたものである。本発明の洗濯物ハンガーは  フック部より片方のみに斜め下方向に肩部が下がり、この肩部が湾曲部を経て水平方向に洗濯物保持部と連続している構造を持ち、この洗濯物保持部全体に沿って上部に洗濯物を押さえるピンチ部があり、このピンチ部は洗濯物保持部の湾曲部側の端を支点として洗濯物保持部と嵌合されており、ピンチ部の上記支点近くの上部に垂直に指を掛ける為の取っ手が設けており、さらにその嵌合部にバネが備えられていてピンチ部が洗濯物保持部に圧着するようになされている事を特徴とする
【０００５】
【発明の実施の形態】
以下本発明の実施の形態の一例を図面を用いて説明する。図１に示すように本発明の洗濯物ハンガー１はフック部２より片方のみに斜め下方向に肩部３が下がり、湾曲部４を経て水平方向に洗濯物保持部５と連続した構造を持っており、この洗濯物保持部５に沿って上部に洗濯物を押さえるピンチ部６がある。そしてこのピンチ部６の湾曲部側の端に施された凹部と洗濯物保持部の湾曲部４側の端に施された凸部が嵌合されており、上記凹部と凸部が嵌合している嵌合部９を支点としてピンチ部６と洗濯物保持部５は開閉する。またこの嵌合部に設けられたバネ７によりピンチ部６は洗濯物保持部５に圧着している。さらにピンチ部６の肩部３近くの箇所に肩部３を握る手の指を掛ける為の取っ手８が垂直上方に施されている。また本実施例においては材質はプラスチックを用い、寸法は湾曲部の端から洗濯物保持部の端まで４５０ｍｍ、洗濯物保持部及びピンチ部の長さは３８０ｍｍとした。更にフック部の内径は５０ｍｍで洗濯物保持部から約３５度の角度で肩部がフック部につながっており、またピンチ部に設けてある取っ手の指を掛ける開口部の横幅は１１０ｍｍとした。
また図２に示すようにハンガーを使用する際にはハンガーの肩部３を持つ手の指をピンチ部の取っ手８に掛けて持ち、これを握る事によりピンチ部６が開き、洗濯物保持部５に洗濯物を掛けることが出来るようになる。またこの手の握りを緩めるとピンチ部６がバネ７の力で戻り、これにより洗濯物が洗濯物保持部に固定される。
【０００６】
【発明の効果】
本発明は以上説明したように構成されているので以下に記載されるような効果を奏する。すなわち従来洗濯物をハンガーに干す際に両手を使いピンチを用意して衣類を留めなければならなかったが本発明により洗濯物をハンガーの開放部から掛け、取っ手を放すだけで容易にハンガーに固定することが出来るようになり、洗濯物を干す作業をより単純化する事が出来る。
【図面の簡単な説明】
【図１】本発明の実施形態の一例を示す説明図である。
【図２】本発明の洗濯物ハンガーを実際に使用している状況を示す説明図である。
【符号の説明】
１  本発明の洗濯物ハンガー
２  フック部
３  肩部
４  湾曲部
５  洗濯物保持部
６  ピンチ部
７  バネ
８  取っ手
９  嵌合部
【図１】
2004188139.tif 000003
【図２】
2004188139.tif 000004